(57)【特許請求の範囲】
【請求項１】
網を受ける凹状の溝を有し、網の一部を溝の中に配置した状態で網を固定するためのサッシであって、
溝を形成するように対向して配置された内側面と、
内側面のうちサッシにおける内側に近い内側面から、対向する内側面に向かって突出した第１の突起と、
第１の突起が設けられた内側面に対向する内側面に設けられ、先端が第１の突起よりも溝の奥側に位置するようにして突出した第２の突起とを備え、
溝の奥行き方向から見たときに、第１および第２の突起の先端の位置が互いに一致するように配置される、あるいは、第１および第２の突起は、溝の奥行き方向に沿って互いに重なるように配置される、サッシ。
【請求項２】
第１の突起は、溝の入口部分に設けられる、請求項１に記載のサッシ。
【請求項３】
第２の突起は、溝の奥側に向かって突出するように設けられる、請求項１又は２に記載のサッシ。
【請求項４】
第２の突起は、溝の奥行き方向に対して４５度の角度を成すように突出する、請求項３に記載のサッシ。
【請求項５】
請求項１から４のいずれか１つに記載のサッシと、
サッシの溝に端部が配置された状態でサッシに固定される網と、を備え、
網の端部には、網における端部以外の部分よりも高い剛性を有するテープ状部材が固着されており、当該テープ状部材は、サッシの溝内において第１の突起の先端にて係止されるとともに、第２の突起によって回転移動が規制される、サッシ構造体。
【発明の詳細な説明】
【技術分野】
【０００１】
本発明は、サッシおよびサッシに網を配置して構成されるサッシ構造体に関する。
【背景技術】
【０００２】
従来より、防虫網などの網をサッシに取り付けて固定する構造が提案されている（例えば、特許文献１）。
【０００３】
特許文献１で提案される構造においては、防虫網を、サッシに設けられた凹状の溝に入れた状態で、サッシとは別部材の入れ子枠によって溝内に向けて押圧することで、防虫網の固定を行う。
【先行技術文献】
【特許文献】
【０００４】
【特許文献１】特許第５０２７０４３号
【発明の概要】
【発明が解決しようとする課題】
【０００５】
しかしながら、昨今では、より簡易な方法でサッシに網を固定できるようにすることが求められている。特許文献１のサッシでは、網を固定するために、サッシとは別部材の入れ子枠が必要となるため、簡易な方法によりサッシに網を固定するという観点では未だ改善の余地があるといえる。
【０００６】
従って、本発明の目的は、簡易な方法によりサッシに網を固定することができるサッシおよび当該サッシに網を配置して構成されるサッシ構造体を提供することにある。
【課題を解決するための手段】
【０００７】
上記目的を達成するために、本発明は以下のように構成する。
【０００８】
本発明の一態様によれば、網を受ける凹状の溝を有し、網の一部を溝の中に配置した状態で網を固定するためのサッシであって、溝を形成するように対向して配置された内側面と、内側面のうちサッシにおける内側に近い内側面から、対向する内側面に向かって突出した第１の突起と、第１の突起が設けられた内側面に対向する内側面に設けられ、先端が第１の突起よりも溝の奥側に位置するようにして突出した第２の突起とを備える、サッシを提供する。
【発明の効果】
【０００９】
本発明のサッシおよびサッシに網を配置して構成されるサッシ構造体は、簡易な方法によりサッシに網を固定することができる。
【図面の簡単な説明】
【００１０】
【図１】実施の形態にかかるサッシの正面図
【図２】実施の形態にかかる網の正面図
【図３】実施の形態にかかるサッシ構造体の正面図
【図４】実施の形態にかかるサッシの溝による網の固定構造を示す断面図
【図５】図４の固定構造において固定用端部を有する網が固定された状態を示す断面図
【図６】網の固定用端部から第２の突起に作用する力を説明する断面図
【図７】網の固定用端部から第２の突起に作用する力を説明する断面図
【図８】図４の固定構造において固定用端部を有しない網が固定された状態を示す断面図
【発明を実施するための形態】
【００１１】
以下、本発明のサッシおよびサッシに網を配置して構成されるサッシ構造体に係る実施の形態について、添付の図面を参照しながら説明する。なお、本発明のサッシおよびサッシ構造体は、以下の実施の形態に記載した構成に限定されるものではない。
【００１２】
（実施の形態）
図１、２、３を用いて、サッシ１、網２、並びに、サッシ１に網２を配置して構成されるサッシ構造体３についてそれぞれ順に説明する。図１は、実施の形態にかかるサッシ１の正面図を示す。図２は、実施の形態にかかる網２の正面図を示す。図３は、図１のサッシ１に図２の網２を配置して構成されるサッシ構造体３の正面図を示す。
【００１３】
図１に示されるサッシ１は、図２に示す網２を取り付けるための枠である。サッシ１は、建物などに固定されて使用される固定式の窓枠であってもよく、あるいは、サッシ１自体が水平方向にスライド可能な可動式の網戸であってもよい。
【００１４】
図１に示すように、サッシ１は、内縁６と外縁７とを有する。本実施の形態では、サッシ１の内縁６および外縁７はともに長方形状の枠を構成している。サッシ１は内縁６を有することで、その内側に通風空間５を形成している。当該通風空間５を通じて、サッシ１が取り付けられた建物の内外で通気を行うことができる。
【００１５】
サッシ１にはさらに、内側に窪んだ凹状の溝４が形成されている。具体的には、内縁６と外縁７との間に、内縁６および外縁７と同様の長方形状である溝として溝４が形成されている。溝４は後述するように、網２を固定するための固定構造を形成している。
【００１６】
図２に示す網２は、サッシ１に配置および固定して使用される網である。網２は例えば、防虫網として機能する。本実施の形態における網２は、網部９と、固定用端部１０と、つまみ部１１とを備える。網部９は、メッシュ状に編み込まれたシートである。本実施の形態では、網部９を略長方形状に構成している。網部９の具体例としては例えば、個々の隙間の大きさが１．４ｍｍの１８メッシュなどが使用される。固定用端部１０は、網部９の周囲（コーナー部を除く）に設けられた、網２の端部である。固定用端部１０は、前述したサッシ１の溝４内に配置される部分に相当する。本実施の形態における固定用端部１０は、網部９の周囲部分を、網部９よりも剛性の高いテープ状部材（例えばポリエステル）で挟んで固着することにより形成される。つまみ部１１は、ユーザが網２の取り外し等の動作を行うためのつまみ部分である。本実施の形態では、網部９と固定用端部１０の境界部から突出した突出部としてつまみ部１１が設けられている。
【００１７】
図２で示した網２の固定用端部１０を図１で示したサッシ１の溝４内に配置した状態を図３に示す。図３に示すように、網２をサッシ１に配置して固定することにより、サッシ１の通風空間５を塞ぐように網２が張られる。これにより、通風空間５を通じた物体の通過等を防ぐことができる。
【００１８】
次に、サッシ１の溝４による網２の固定構造について、図４、５を用いて説明する。図４は、図１のＡ−Ａ断面を示し、図５は、図３のＢ−Ｂ断面を示す。
【００１９】
図４に示すように、サッシ１は、サッシ面（サッシ１の表面）１２ａ−１２ｄおよび突起１３ａ、１３ｂを備える。
【００２０】
第１のサッシ面１２ａは、サッシ１に張られた状態の網２を支持する支持面である。第１のサッシ面１２ａは、通風空間５に隣接するとともに、鉛直方向沿いに延びるように設けられている。第２のサッシ面１２ｂは、第１のサッシ面１２ａに隣接して配置された面であり、第１のサッシ面１２ａに対して略垂直に延びている。第２のサッシ面１２ｂは、溝４を形成するサッシ１の内側面に相当する。第３のサッシ面１２ｃは、第２のサッシ面１２ｂに隣接して配置された面であり、第２のサッシ面１２ｂに対して略垂直に延びている。このように設けられた第３のサッシ面１２ｃは、溝４の底面を構成する。第４のサッシ面１２ｄは、第３のサッシ面１２ｃに隣接して配置された面であり、第３のサッシ面１２ｃに対して略垂直に延びている。このように設けられた第４のサッシ面１２ｄは、第２のサッシ面１２ｂに対向するとともに、第２のサッシ面１２ｂと略平行となる。第４のサッシ面１２ｄは、第２のサッシ面１２ｂと同様に、溝４を形成するサッシ１の内側面に相当する。ここで、第２のサッシ面１２ｂは、サッシ１の内側面のうち、サッシ１の内側（通風空間５側）に近い内側面であるのに対して、第４のサッシ面１２ｄは、サッシ１の外側に近い内側面に相当する。図４に示すように、第２のサッシ面１２ｂ、第３のサッシ面１２ｃおよび第４のサッシ面１２ｄが主に網２の固定構造を構成している。
【００２１】
このようなサッシ１の溝４による網２の固定構造にはさらに、第１の突起１３ａと、第２の突起１３ｂとが設けられている。
【００２２】
第１の突起１３ａは、第１のサッシ面１２ａと第２のサッシ面１２ｂとの境界部であって、溝４の入口部分に設けられた突起である。本実施の形態における第１の突起１３ａは、第２のサッシ面１２ｂから略垂直に立ち上がるとともに、対向する第４のサッシ面１２ｄに向かって突出するように設けられている。本実施の形態における第１の突起１３ａの先端は、湾曲形状の断面を有するように形成されている（例えば、曲率半径が０．２ｍｍの円弧形状断面）。
【００２３】
第２の突起１３ｂは、第２のサッシ面１２ｂに対向する第４のサッシ面１２ｄから突出した突起である。本実施の形態における第２の突起１３ｂは、その先端が第１の突起１３ａよりも溝４の奥側（第３のサッシ面１２ｃに近い側）に位置するように、第４のサッシ面１２ｄから突出している。さらに本実施の形態では、第２の突起１３ｂを斜め下方に突出させており、その突出方向を第４のサッシ面１２ｄに対して４５度となるように設定している。すなわち、第２の突起１３ｂは、サッシ１に張られた状態の網２が延在する平面（図１−３の紙面に平行な面）に垂直な方向である溝４の奥行き方向Ｃに対して４５度の角度を成すように突出している。なお本実施の形態では、第１の突起１３ａの先端と同様に、第２の突起１３ｂの先端も湾曲形状の断面を有するように形成されている（例えば、曲率半径が１ｍｍの円弧形状断面）。本実施の形態ではさらに、溝４の奥行き方向Ｃから見たときに、第１、第２の突起１３ａ、１３ｂの先端の位置が互いに一致するように配置している（図４における１点鎖線Ｄを参照）。
【００２４】
このような構成によれば、図５に示されるように溝４の中に網２の固定用端部１０を配置した状態において、固定用端部１０を溝４から抜けないように固定することができる。具体的には、図５に示す状態において、例えば網２をサッシ１の内側（通風空間５側）に向かって引くように外力がかかることが想定される（矢印Ｅ）。この場合、固定用端部１０における溝４の入口部分に近い側の一端が第１の突起１３ａの先端に引っ掛かり、係止される（Ｆ部）。ここからさらに網２を引くと、第１の突起１３ａに係合している先端を支点として、固定用端部１０は外側に向かって回転しようとする（矢印Ｇ）。一方で、固定用端部１０を挟んで第１の突起１３ａと反対側には第２の突起１３ｂが設けられており、第２の突起１３ｂの先端は、第１の突起１３ａよりも溝４の奥側に配置されている。よって、固定用端部１０が外側に向かって回転しようとしても、第２の突起１３ｂによってその移動が規制される（Ｈ部参照）。これにより、固定用端部１０は溝４内にて固定されることとなる。このような原理により、固定用端部１０を溝４内に固定して抜けないようにすることができる。当該固定構造によれば、サッシ１とは別の部材を用いなくともサッシ１に網２を固定することができるため、簡易な方法により網２を固定することができる。
【００２５】
図４の符号Ｄで示すように、第１、第２の突起１３ａ、１３ｂの先端の位置は溝４の奥行き方向Ｃから見たときに互いに一致するように配置されているが、図５に示すように、溝４内に配置される固定用端部１０および網部９は厚みを有しているため、奥行き方向Ｃに対して平行ではなくやや傾斜した状態となる。第１の突起１３ａの先端から、溝４の底面を構成している第３のサッシ面１２ｃまでの奥行き方向Ｃの距離を、固定用端部１０の長さ以上に設定することで、固定用端部１０を第１の突起１３ａの先端でより確実に係止することができる。
【００２６】
当該固定構造においては、第１の突起１３ａおよびその反対側から延びる第２の突起１３ｂを設けることにより、固定用端部１０を溝４内に固定するようにしている。特に、第１、第２の突起１３ａ、１３ｂの先端の位置を、溝４の奥行き方向Ｃから見たときに互いに一致するように配置しているため、固定用端部１０をより確実かつ安定的に溝４内から抜けないように固定することができる。
【００２７】
なお、溝４から固定用端部１０を取り外す際には、前述したつまみ部１１を掴んで、サッシ１の外側（矢印Ｅの反対方向）に向けて網２を引くことで、固定用端部１０を第１の突起１３ａとの係合から解除して取り外すことができる。
【００２８】
上述したように、本実施の形態におけるサッシ１は、網２を受ける凹状の溝４を有し、網２の一部を溝４の中に配置した状態で網２を固定するためのサッシ１であって、溝４を形成するように対向して配置された内側面（第２のサッシ面１２ｂ、第４のサッシ面１２ｄ）と、内側面のうちサッシ１における内側に近い内側面（第２のサッシ面１２ｂ）から、対向する内側面（第４のサッシ面１２ｄ）に向かって突出した第１の突起１３ａと、第１の突起１３ａが設けられた内側面（第２のサッシ面１２ｂ）に対向する内側面（第４のサッシ面１２ｄ）に設けられ、先端が第１の突起１３ａよりも溝４の奥側に位置するようにして突出した第２の突起１３ｂとを備える。このような構成によれば、固定用端部１０を溝４内に配置した状態で、網２をサッシ１の内側に引くように外力が付与された場合に第１の突起１３ａの先端と係合した固定用端部１０が回転しようとしても、第２の突起１３ｂによりその回転移動が規制されるため、固定用端部１０を溝４内に固定することができる。このように、サッシ１とは別の部材を用いなくともサッシ１に網２を固定することができるため、簡易な方法により網２を固定することができる。
【００２９】
また本実施の形態では、溝の奥行き方向Ｃから見たときに、第１および第２の突起１３ａ、１３ｂの先端の位置は互いに一致するように配置されている（図４の１点鎖線Ｄ参照）。このような構成によれば、（溝４内に固定用端部１０を配置するための）第１、第２の突起１３ａ、１３ｂ間のスペースを広く確保することができるため、固定用端部１０を溝４から抜けないようにするだけでなく、溝４内に固定用端部１０を容易に配置・取付できるようにすることができる。すなわち、サッシ１に対する網２の取り付けの容易性と、不用意な網２の取り外しの防止度合いとのバランスを良好に保つことができる。
【００３０】
また本実施の形態では、第１の突起１３ａを溝４の入口部分に設けている。これにより、第１の突起１３ａを第２のサッシ面１２ｂの途中から突出させて形成するような場合に比べて、網２の固定用端部１０を第１の突起１３ａの先端により確実に引っ掛けて係止させることができる。さらに、第１の突起１３ａを成型する際には、第１のサッシ面１２ａを延長することで第１の突起１３ａを形成することができるため、第２のサッシ面１２ｂの途中から突出させて形成する場合に比べて、第１の突起１３ａを容易に作成することができる。
【００３１】
また本実施の形態では、第２の突起１３ｂを溝４の奥側に向かって突出するように設けている。このような構成によれば、溝４内において網２の固定用端部１０が第１の突起１３ａと係合した状態で外側に向かって回転しようとする場合にも、その回転をより確実に規制することができるため、網２をより確実かつ安定的にサッシ１に固定することができる。
【００３２】
また本実施の形態では、第２の突起１３ｂを溝４の奥行き方向Ｃに対して４５度の角度を成すように突出させている。このような構成によれば、溝４内において網２の固定用端部１０が第１の突起１３ａと係合した状態で外側に向かって回転しようとする場合に、その回転をより確実に規制することができるため、網２をより確実かつ安定的にサッシ１に固定することができる。
【００３３】
また本実施の形態では、第１の突起１３ａの先端を湾曲形状としている。このような構成によれば、第１の突起１３ａの先端が鋭利な形状である場合に比べて、固定用端部１０を溝４内に配置して固定する際に、固定用端部１０が第１の突起１３ａの先端で傷付くことを抑制することができる。さらに本実施の形態では、製造上の観点では最も小さい曲率半径とされている０．２ｍｍの曲率半径として形成することにより、固定用端部１０を第１の突起１３ａの先端からより外れにくくすることができる。
【００３４】
以上、上述の実施の形態を挙げて本発明を説明したが、本発明は上述の実施の形態に限定されない。例えば、本実施の形態では、溝４の奥行き方向Ｃから見たときに、第１、第２の突起１３ａ、１３ｂの先端の位置が互いに一致するように配置したが、このような場合に限らない。例えば、第１および第２の突起１３ａ、１３ｂが溝４の奥行き方向Ｃに沿って重なっている場合であっても、重ならない場合であっても、網２を溝４内に固定することができる。この点に関して図６、７を用いて説明する。
【００３５】
図６、７は、第１の突起１３ａ（図示せず）の先端にて係止された状態の固定用端部１０から第２の突起１３ｂ（図示せず）に作用する力を表す概略的な模式断面図である。図６に示す例は、固定用端部１０が溝４の入口側から奥側に向かって第２のサッシ面１２ｂ側（サッシ１の内側）に傾斜している場合を示す。図６に示す状態が実現される構成としては、前述した実施形態のように、溝４の奥行き方向Ｃから見たときに、第１の突起１３ａと第２の突起１３ｂの先端の位置が互いに一致する場合や、溝４の奥行き方向Ｃに沿って第１の突起１３ａおよび第２の突起１３ｂが互いに重なる場合、あるいは僅かに離れている場合が挙げられる。図７に示す例は、固定用端部１０が溝４の入口側から奥側に向かって第４のサッシ面１２ｄ側（サッシ１の外側）に傾斜している場合を示す。図７に示す状態が実現される構成としては、溝４の奥行き方向Ｃに沿って第１の突起１３ａと第２の突起１３ｂが互いに重ならず、鉛直方向（図７における左右方向）に所定以上の間隔を空けて配置される場合が挙げられる。
【００３６】
図６に示す例では、固定用端部１０から第２の突起１３ｂに作用する力Ｆ１の向きは、固定用端部１０の表面に対して垂直な方向として、サッシ１の外側かつ溝４の奥側に向かう方向である。力Ｆ１は、鉛直成分Ｆ１ａと、水平成分Ｆ１ｂとに分解される。水平成分Ｆ１ｂは、溝４の奥側に向かう方向である。このように水平成分Ｆ１ｂが溝４の奥側に向かう方向であるため、溝４の奥側に向かうように作用するため、固定用端部１０は溝４から抜けにくい状態となる。一方で、図７に示す例では、固定用端部１０から第２の突起１３ｂに作用する力Ｆ２の向きは、固定用端部１０の表面に対して垂直な方向として、サッシ１の外側かつ溝４の入口側に向かう方向である。力Ｆ２は、鉛直成分Ｆ２ａと、水平成分Ｆ２ｂとに分解される。水平成分Ｆ２ｂは、溝４の入口側に向かう方向である。このように水平成分Ｆ２ｂが溝４の入口側に向かう方向であるため、固定用端部１０は溝４の入口側に向かうように作用する。図７に示すような場合であっても、第２の突起１３ｂを設けているため、網２を溝４内に固定することができるが、溝４から固定用端部１０をより抜けにくくするという点では、図６に示す状態の方が図７に示す状態よりも優れている。このような事情に鑑み、第１、第２の突起１３ａ、１３ｂの突出長さを調整して、溝４内における固定用端部１０の固定姿勢を定めるようにしてもよい。
【００３７】
また本実施の形態では、網２に固定用端部１０を設けるとともに、固定用端部１０を溝４内に配置することで網２をサッシ１に固定する場合について説明したが、このような場合に限らない。固定用端部１０を有しない網であっても、上述した本実施の形態におけるサッシ１を用いて固定することができる。具体的には、図８に示すように、固定用端部を有しない網１４をサッシ１の溝４上に張った状態において、サッシ１とは別部材の留め具１５により網１４を溝４内に押し付けて固定することができる。このような方法により、固定用端部を有しない網１４をサッシ１に固定することができる。本実施の形態におけるサッシ１は、固定用端部１０を有する網２に対して適用可能である一方、固定用端部を有しない網１４にも適用可能であり、適用範囲が広く、高い利便性を有する。
【００３８】
また本実施の形態では、網部９の周囲部分を、網部９よりも剛性の高いテープ状部材（例えばポリエステル）で挟んで固着することにより固定用端部１０を形成する場合について説明したが、このような場合に限らない。例えば、網部９の周囲部分を挟むのではなく片側のみにテープ状部材を固着させることにより、固定用端部１０を形成してもよい。
【産業上の利用可能性】
【００３９】
本発明は、窓を受けるためのサッシおよびサッシに網を配置して構成されるサッシ構造体であれば適用可能である。
【符号の説明】
【００４０】
１  サッシ
２  網
３  サッシ構造体
４  溝
５  通風空間
６  内縁
７  外縁
９  網部
１０  固定用端部（テープ状部材）
１１  つまみ部
１２ａ  第１のサッシ面
１２ｂ  第２のサッシ面（内側面）
１２ｃ  第３のサッシ面
１２ｄ  第４のサッシ面（内側面）
１３ａ  第１の突起
１３ｂ  第２の突起
１４  網
１５  留め具
【図１】
0005985683.tif 000002
【図２】
0005985683.tif 000003
【図３】
0005985683.tif 000004
【図４】
0005985683.tif 000005
【図５】
0005985683.tif 000006
【図６】
0005985683.tif 000007
【図７】
0005985683.tif 000008
【図８】
0005985683.tif 000009